(57)【要約】【課題】患者ごとの請求内容を一覧で表示できるようにする技術を提供する。【解決手段】電子レセプトを構成する各患者情報レコードから患者氏名を取得し、患者氏名と対応する診療点数を患者情報レコードの次の行のレコードである保険者レコードから取得する患者データ一覧化部１２０と、患者データ一覧化部１２０が取得した各患者氏名と各患者氏名と対応する診療点数とを対応付けて一覧で表示する出力部１３０とを有することで、患者ごとの請求内容を一覧で表示できるようになる。【選択図】図１
2015141672.tif 000002
【特許請求の範囲】
【請求項１】
電子レセプトを構成する各患者情報レコードから患者氏名を取得し、前記患者氏名と対応する診療点数を前記患者情報レコードの次の行のレコードである保険者レコードから取得する患者データ一覧化部と、
前記患者データ一覧化部が取得した各前記患者氏名と各前記患者氏名と対応する前記診療点数とを対応付けて一覧で表示する出力部と、
を有する、患者データ一覧化システム。
【請求項２】
請求項１に記載の患者データ一覧化システムにおいて、
診療科区分と、前記診療科区分に診療科名称を付加した付加後診療科名称とを対応付けて記憶する記憶部をさらに有し、
前記患者データ一覧化部は、各前記患者情報レコードから前記診療科区分を取得し、前記診療科区分と対応する前記付加後診療科名称を前記記憶部から取得し、
前記出力部は、各前記患者氏名と各前記診療点数と各前記付加後診療科名称とを対応付けて一覧で表示する、
患者データ一覧化システム。
【請求項３】
患者データ一覧化部が、電子レセプトを構成する各患者情報レコードから患者氏名を取得し、前記患者氏名と対応する診療点数を前記患者情報レコードの次の行のレコードである保険者レコードから取得する取得ステップと、
前記患者データ一覧化部が、取得した各前記患者氏名と各前記患者氏名と対応する前記診療点数とを記憶部に記憶する記憶ステップと、
出力部が、前記記憶部から取得した各前記患者氏名と各前記患者氏名と対応する前記診療点数とを対応付けて一覧で表示する表示ステップと、
を有する、患者データ一覧化方法。
【請求項４】
患者データ一覧化部と、記憶部と、出力部とを有する患者データ一覧化システムのコンピュータに実行させる患者データ一覧化プログラムであって、
前記患者データ一覧化部が、電子レセプトを構成する各患者情報レコードから患者氏名を取得し、前記患者氏名と対応する診療点数を前記患者情報レコードの次の行のレコードである保険者レコードから取得する取得ステップと、
前記患者データ一覧化部が、取得した各前記患者氏名と各前記患者氏名と対応する前記診療点数とを前記記憶部に記憶する記憶ステップと、
前記出力部が、前記記憶部から取得した各前記患者氏名と各前記患者氏名と対応する前記診療点数とを対応付けて一覧で表示する表示ステップと、
を前記コンピュータに実行させる、患者データ一覧化プログラム。
【発明の詳細な説明】
【技術分野】
【０００１】
本発明は、患者データ一覧化システムおよび患者データ一覧化方法ならびに患者データ一覧化プログラムに関する。
【背景技術】
【０００２】
医療機関は、診療報酬明細書に記載される診療報酬点数に基づき診療報酬を請求することが知られている。
【０００３】
近年、診療報酬明細書に記載される各データを電子化した電子レセプトが普及してきている。そして、ペーパーレス化の要請により、対象となる患者の電子レセプトをオンラインで審査支払機関に提出することとなっている。
【０００４】
特開２００５−５０２４５号公報（特許文献１）には、「紙のレセプト（診療報酬明細書）をコンピュータ処理で電子化し、この電子レセプトの正当性をコンピュータ処理で自動審査する」と記載されている。
【先行技術文献】
【特許文献】
【０００５】
【特許文献１】特開２００５−５０２４５号公報
【発明の概要】
【発明が解決しようとする課題】
【０００６】
ここで、診療報酬を請求する前に請求データに修正が発生した場合、修正する度に、修正したデータと対応する患者の氏名を電子レセプトから探した後、修正後の内容が正しく反映されているか確認する手間が発生していた。
【０００７】
本発明の目的は、患者ごとの請求内容（例えば、１ヵ月間の診療報酬点数の合計値など）を一覧で表示できるようにする技術を提供することである。
【課題を解決するための手段】
【０００８】
本願において開示される発明のうち、代表的なものの概要を簡単に説明すれば、次の通りである。
【０００９】
本発明の一実施の形態は、電子レセプトを構成する各患者情報レコードから患者氏名を取得し、前記患者氏名と対応する診療点数を前記患者情報レコードの次の行のレコードである保険者レコードから取得する患者データ一覧化部を有する。また、前記患者データ一覧化部が取得した各前記患者氏名と各前記患者氏名と対応する前記診療点数とを対応付けて一覧で表示する出力部を有する。
【００１０】
また、他の実施の形態では、患者データ一覧化部が、電子レセプトを構成する各患者情報レコードから患者氏名を取得し、前記患者氏名と対応する診療点数を前記患者情報レコードの次の行のレコードである保険者レコードから取得する取得ステップを有する。また、前記患者データ一覧化部が、取得した各前記患者氏名と各前記患者氏名と対応する前記診療点数とを記憶部に記憶する記憶ステップを有する。また、出力部が、前記記憶部から取得した各前記患者氏名と各前記患者氏名と対応する前記診療点数とを対応付けて一覧で表示する表示ステップを有する。
【００１１】
また、他の実施の形態では、患者データ一覧化部と、記憶部と、出力部とを有する患者データ一覧化システムのコンピュータに実行させる患者データ一覧化プログラムであって、前記患者データ一覧化部が、電子レセプトを構成する各患者情報レコードから患者氏名を取得し、前記患者氏名と対応する診療点数を前記患者情報レコードの次の行のレコードである保険者レコードから取得する取得ステップを前記コンピュータに実行させる。また、前記患者データ一覧化部が、取得した各前記患者氏名と各前記患者氏名と対応する前記診療点数とを前記記憶部に記憶する記憶ステップを前記コンピュータに実行させる。また、前記出力部が、前記記憶部から取得した各前記患者氏名と各前記患者氏名と対応する前記診療点数とを対応付けて一覧で表示する表示ステップを前記コンピュータに実行させる。
【発明の効果】
【００１２】
本願において開示される発明のうち、代表的なものによって得られる効果を簡単に説明すれば以下のとおりである。
【００１３】
本発明の代表的な実施の形態によれば、患者ごとの請求内容を一覧で表示できるようになる。
【図面の簡単な説明】
【００１４】
【図１】本発明の一実施の形態における医事会計システムおよび患者データ一覧化システムの構成例の概要を示す図である。
【図２】本発明の一実施の形態における電子レセプトの概要を示す図である。
【図３】本発明の一実施の形態における記憶部が記憶する診療科区分変換テーブルの構成例の概要を示す図である。
【図４】本発明の一実施の形態における記憶部が記憶するレセプト種別区分変換テーブルの構成例の概要を示す図である。
【図５】本発明の一実施の形態における記憶部が記憶する本人家族区分変換テーブルの構成例の概要を示す図である。
【図６】本発明の一実施の形態における記憶部が記憶する患者データテーブルの構成例の概要を示す図である。
【図７】本発明の一実施の形態における全体処理の処理フローを示す図である。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。
【００１６】
本発明の一実施の形態における患者データ一覧化システムは、電子レセプトに含まれるすべての患者氏名と、この患者氏名と対応する診療点数とを取得する。そして、取得した各患者氏名と各診療点数とを対応付けて一覧で表示する。これにより、患者ごとの請求内容を一覧で確認させることができるようになる。
【００１７】
また、本発明の一実施の形態における患者データ一覧化システムは、電子レセプトに含まれる区分を、区分に文字を付加した情報へと変換するためのテーブルを記憶する。これにより、区分の内容を示す文字を区分に付加した情報を確認させることができるようになる。
【００１８】
＜システム構成＞
図１は、本発明の一実施の形態における医事会計システム２００および患者データ一覧化システム１００の構成例の概要を示す図である。図１に示されるように患者データ一覧化システム１００は、電子レセプト取得部１１０と、患者データ一覧化部１２０と、出力部１３０と、記憶部１４０とを有する。
【００１９】
また、患者データ一覧化システム１００は、所定のハードウェアおよびソフトウェアにより実装される。例えば、患者データ一覧化システム１００は、プロセッサやメモリなどを有し、プロセッサにより実行されるメモリ上のプログラムが、患者データ一覧化システム１００のコンピュータを機能させる。
【００２０】
医事会計システム２００は、患者が診察を終了する度に入力される情報に基づいて１ヵ月分を１ファイルとする電子レセプト（後述、図２）を生成する。
【００２１】
電子レセプト取得部１１０は、医事会計システム２００から電子レセプトを取得する。そして、電子レセプト取得部１１０は、取得した電子レセプトを患者データ一覧化部１２０へ入力する。
【００２２】
患者データ一覧化部１２０は、入力された電子レセプトを構成する各患者情報レコードから患者氏名とレセプト番号とレセプト種別区分と診療年月とカルテ番号とを取得し、患者氏名と対応する保険者番号と診療実日数と診療点数とを患者情報レコードの次の行のレコードである保険者レコードから取得する。
【００２３】
患者データ一覧化部１２０は、取得した患者氏名とレセプト番号とレセプト種別区分と診療年月とカルテ番号と保険者番号と診療実日数と診療点数とを対応付けて記憶部１４０が記憶する患者データテーブル（後述、図６）に追加する。
【００２４】
出力部１３０（例えばディスプレイが該当する）は、記憶部１４０から患者データテーブルを構成するすべての情報を取得する。そして、出力部１３０は、取得した患者氏名と、レセプト番号と、レセプト種別区分と、診療年月と、カルテ番号と、保険者番号と、診療実日数と、診療点数とを対応付けて一覧で表示する。
【００２５】
記憶部１４０は、電子レセプトに含まれる区分を、区分に文字を付加した情報へと変換するためのテーブルである、診療科区分変換テーブル（後述、図３）と、レセプト種別区分変換テーブル（後述、図４）と、本人家族区分変換テーブル（後述、図５）とを記憶する。また、記憶部１４０は、患者データテーブル（後述、図６）を記憶する。
【００２６】
＜電子レセプト＞
図２は、本発明の一実施の形態における電子レセプトの概要を示す図である。図２に示されるように、電子レセプトは、患者に関するレセプト単位の情報である患者情報レコードや、保険者レコードなどの複数のレコードからなる。また、患者情報レコードと保険者レコードとは連続して存在し、患者情報レコードの次の行のレコードは、保険者レコードである。
【００２７】
「ＲＥ」は、患者情報レコードを識別するための識別情報である。また、患者情報レコードは、[患者氏名]、[レセプト番号]、[レセプト種別区分]、[診療年月]、[カルテ番号]、[診療科区分]、などのデータ項目を含む。[患者氏名]は、患者の氏名を示す。[レセプト番号]は、レセプト単位に振られる番号を示す。なお、[レセプト番号]は、「１」から昇順に連続番号で割り振られる。[レセプト種別区分]は、レセプト種別の区分に対応する識別子を示す。[診療年月]は、患者が診療された月を示す。診療年月は、年号区分コードと、４桁の年月とからなる。年号区分コードは、「１」が明治に「２」が大正に「３」が昭和に「４」が平成に対応している。[カルテ番号]は、カルテの番号を示す。[診療科区分]は、患者を診療した科の区分に対応する識別子を示す。
【００２８】
「ＨＯ」は、保険者レコードを識別するための識別情報である。また、保険者レコードは、[保険者番号]、[診療実日数]、[診療点数]などのデータ項目を含む。[保険者番号]は、保険者番号を示す。[診療実日数]は、１ヵ月間に患者が通院した合計日数を示す。[診療点数]は、１ヵ月間の診療報酬点数の合計値を示す。
【００２９】
＜診療科区分変換テーブル＞
図３は、本発明の一実施の形態における記憶部１４０が記憶する診療科区分変換テーブルの構成例の概要を示す図である。図３に示されるように診療科区分変換テーブルは、[診療科区分]、[付加後診療科名称]などのデータ項目を含む。[診療科区分]は、患者情報レコードに含まれ、患者を診療した科の区分に対応する識別子を示す。[付加後診療科名称]は、診療科区分に診療科名称（診療科名称は、患者を診療した科の名称を示す）を付加した情報を示す。
【００３０】
＜レセプト種別区分変換テーブル＞
図４は、本発明の一実施の形態における記憶部１４０が記憶するレセプト種別区分変換テーブルの構成例の概要を示す図である。図４に示されるようにレセプト種別区分変換テーブルは、[レセプト種別区分]、[本人家族区分]などのデータ項目を含む。[レセプト種別区分]は、患者情報レコードに含まれ、レセプト種別の区分に対応する識別子を示す。[本人家族区分]は、本人家族情報（本人家族情報は、入院している患者が本人か本人の家族かなどを示す）の区分に対応する識別子を示す。
【００３１】
＜本人家族区分変換テーブル＞
図５は、本発明の一実施の形態における記憶部１４０が記憶する本人家族区分変換テーブルの構成例の概要を示す図である。図５に示されるように本人家族区分変換テーブルは、[本人家族区分]、[付加後本人家族情報]などのデータ項目を含む。[本人家族区分]は、本人家族情報の区分に対応する識別子を示す。[付加後本人家族情報]は、本人家族区分に本人家族情報を付加した情報を示す。
【００３２】
＜患者データテーブル＞
図６は、本発明の一実施の形態における記憶部１４０が記憶する患者データテーブルの構成例の概要を示す図である。図６に示されるように患者データテーブルは、上述した[患者氏名]、[レセプト番号]、[レセプト種別区分]、[診療年月]、[カルテ番号]、[付加後診療科名称]、[付加後本人家族情報]、[保険者番号]、[診療実日数]、[診療点数]などのデータ項目を含む。
【００３３】
＜全体処理＞
図７は、本発明の一実施の形態における全体処理の処理フローを示す図である。
【００３４】
まず、Ｓ７０１にて、電子レセプト取得部１１０は、医事会計システム２００から電子レセプトを取得する。
【００３５】
次に、Ｓ７０２にて、電子レセプト取得部１１０は、取得した電子レセプトを患者データ一覧化部１２０へ入力する。
【００３６】
次に、Ｓ７０３にて、患者データ一覧化部１２０は、「ＲＥ」をキーにＳ７０２にて入力された電子レセプトを検索することで、電子レセプトから患者情報レコードを抽出する。なお、患者データ一覧化部１２０は、これまでに抽出していない患者情報レコードを抽出する。
【００３７】
次に、Ｓ７０４にて、患者データ一覧化部１２０は、抽出した患者情報レコードに含まれる患者氏名とレセプト番号とレセプト種別区分と診療年月とカルテ番号と診療科区分とを取得する。
【００３８】
次に、Ｓ７０５にて、患者データ一覧化部１２０は、Ｓ７０４にて取得した診療科区分をキーに、診療科区分変換テーブル（前述、図３）を検索し、対応する付加後診療科名称を取得する。例えば、診療科区分が「０１」である場合、患者データ一覧化部１２０は、対応する付加後診療科名称として「０１：内科」を取得する。
【００３９】
次に、Ｓ７０６にて、患者データ一覧化部１２０は、Ｓ７０４にて取得したレセプト種別区分をキーに、レセプト種別区分変換テーブル（前述、図４）を検索し、対応する本人家族区分を取得する。例えば、レセプト種別区分が「１３１７」である場合、患者データ一覧化部１２０は、対応する本人家族区分として「７」を取得する。
【００４０】
次に、Ｓ７０７にて、患者データ一覧化部１２０は、Ｓ７０６にて取得した本人家族区分をキーに、本人家族区分変換テーブル（前述、図５）を検索し、対応する付加後本人家族情報を取得する。例えば、本人家族区分が「７」である場合、患者データ一覧化部１２０は、対応する付加後本人家族情報として「７：高入一（高入一は、高齢者・一般・入院を意味する）」を取得する。
【００４１】
次に、Ｓ７０８にて、患者データ一覧化部１２０は、Ｓ７０３にて抽出した患者情報レコードの次の行のレコードである保険者レコードを電子レセプトから抽出する。
【００４２】
次に、Ｓ７０９にて、患者データ一覧化部１２０は、Ｓ７０８にて抽出した保険者レコードに含まれる保険者番号と診療実日数と診療点数とを取得する。
【００４３】
次に、Ｓ７１０にて、患者データ一覧化部１２０は、Ｓ７０４にて取得した患者氏名と、レセプト番号と、レセプト種別区分と、診療年月と、カルテ番号と、Ｓ７０５にて取得した付加後診療科名称と、Ｓ７０７にて取得した付加後本人家族情報と、Ｓ７０９にて取得した保険者番号と、診療実日数と、診療点数とを対応付けて記憶部１４０が記憶する患者データテーブル（前述、図６）に追加する。なお、患者データテーブルに追加することに替えて、患者データ一覧化部１２０は、所定の拡張子（例えば、ｘｌｓ）のファイルにＳ７０４にて取得した患者氏名と、レセプト番号と、レセプト種別区分と、診療年月と、カルテ番号と、Ｓ７０５にて取得した付加後診療科名称と、Ｓ７０７にて取得した付加後本人家族情報と、Ｓ７０９にて取得した保険者番号と、診療実日数と、診療点数とを対応付けたレコードを追加するようにしても良い。
【００４４】
次に、Ｓ７１１にて、患者データ一覧化部１２０は、Ｓ７０３にて検索した結果、電子レセプトに含まれるすべての患者情報レコードを抽出したかを判定する。患者データ一覧化部１２０が、患者情報レコードに含まれるすべての患者情報レコードを抽出していないと判定する場合（Ｓ７１１−Ｎｏ）、Ｓ７０３に戻る。一方、患者データ一覧化部１２０が、患者情報レコードに含まれるすべての患者情報レコードを抽出したと判定する場合（Ｓ７１１−Ｙｅｓ）、Ｓ７１２へ進む。
【００４５】
次に、Ｓ７１２にて、出力部１３０は、記憶部１４０から患者データテーブルを構成するすべての情報を取得する。そして、出力部１３０は、取得した患者氏名と、レセプト番号と、レセプト種別区分と、診療年月と、カルテ番号と、付加後診療科名称と、付加後本人家族情報と、保険者番号と、診療実日数と、診療点数とを対応付けて一覧で表示する。なお、出力部１３０として、プリンターを適用するようにしても良い。この場合、プリンターは出力された患者氏名と、レセプト番号と、レセプト種別区分と、診療年月と、カルテ番号と、付加後診療科名称と、付加後本人家族情報と、保険者番号と、診療実日数と、診療点数とを対応付けて一覧で記載された紙面を印刷する。
【００４６】
＜本実施の形態の効果＞
以上説明した本実施の形態における患者データ一覧化システム１００によれば、出力部１３０が、各患者氏名と各患者氏名と対応する診療点数とを対応付けて一覧で表示することで、患者ごとの診療点数を確認しやすくなる。そして、診療報酬を請求する前に請求データに修正が発生した場合であっても、修正後の内容が正しく反映されているかを、電子レセプトを直接、目視で確認するという手間を省くことができるようになる。さらに不正確な診療点数を発見しやすくなる。
【００４７】
また、出力部１３０が、各患者氏名と各診療点数と各付加後診療科名称とを対応付けて一覧で表示することで、診療科の名称を把握させやすくなる。
【００４８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００４９】
１００…患者データ一覧化システム、１１０…電子レセプト取得部、１２０…患者データ一覧化部、１３０…出力部、１４０…記憶部、２００…医事会計システム
【図１】
2015141672.tif 000003
【図２】
2015141672.tif 000004
【図３】
2015141672.tif 000005
【図４】
2015141672.tif 000006
【図５】
2015141672.tif 000007
【図６】
2015141672.tif 000008
【図７】
2015141672.tif 000009